(57)【特許請求の範囲】
【請求項１】
開口または切り欠きが設けられた載置面を備える載置部材と、
前記載置面の下方に収容され、回転ローラが取り付けられた跳ね上げ部と支点部と操作部とを有し、前記操作部が押し下げられることにより前記支点部を中心に前記載置部材と独立して回転し、回転により前記回転ローラが前記開口または切り欠きを介して前記載置面よりも上方に上昇して前記載置面に載置された物体の底面を押し上げる、跳ね上げ部材と、
を有するユニット搭載治具。
【請求項２】
前記支点部は軸であり、前記軸には移動用回転ローラが取り付けられている請求項１記載のユニット搭載治具。
【請求項３】
前記載置面には、滑り止めが形成されている請求項１または２記載のユニット搭載治具。
【請求項４】
前記回転ローラの表面には、滑り止めが形成されている請求項１から３のいずれか１項に記載のユニット搭載治具。
【請求項５】
前記載置部材には、前記操作部を押し下げた状態で固定するストッパーが設けられている請求項１から４のいずれか１項に記載のユニット搭載治具。
【請求項６】
前記跳ね上げ部材は、前記操作部をスライドさせるスライド機構を備えている請求項１から５のいずれか１項に記載のユニット搭載治具。
【請求項７】
前記載置部材には、旋回用のキャスターが取り付けられている請求項１から６のいずれか１項に記載のユニット搭載治具。
【発明の詳細な説明】
【技術分野】
【０００１】
本発明は、ユニットを搭載部に搭載するためのユニット搭載治具に関する。
【背景技術】
【０００２】
例えば、ＡＴＭ（Automated Teller Machine）等の筐体に、紙幣ユニットを搭載する場合、紙幣ユニットを持ち上げ、持ち上げた紙幣ユニットをスライドさせて筐体に収納する。紙幣ユニットは大型のユニットであるため、例えば、この作業を一人で行う場合、紙幣ユニットを持ち上げられない可能性がある。このため、紙幣ユニットを筐体に搭載するために、搭載治具を用いることが考えられる。
【０００３】
なお、ユニットを持ち上げるための治具としては、例えば、複数の横フレームが横並びに配置され、複数のローラが横フレーム長手方向に列設されて横フレーム間にそれぞれ枢支されるとともに、設置される床面から各ローラ枢支位置までの高さ寸法が横フレーム先端に近くなるほど小さく設定されているフォークがある（例えば、特許文献１参照）。
【０００４】
また、梃子棒軸部の先端部から鈍角に延出する板状に形成される鉄板へらの作用部と、支点部に車輪を備える梃子棒がある（例えば、特許文献２参照）。
また、支点を中心にして作用点側に位置する第１アーム部および力点側に位置する第２アーム部とを備えたテコ部材と、第１アーム部に取り付けて第１アーム部が物体を持ち上げたままの状態を維持できるように起立位置になるストッパーを有するストッパー付きテコ装置がある（例えば、特許文献３参照）。
【先行技術文献】
【特許文献】
【０００５】
【特許文献１】特開平１０−１２０３８８号公報
【特許文献２】特開２００５−９６９８４号公報
【特許文献３】登録実用新案第３００３１２３号公報
【発明の概要】
【発明が解決しようとする課題】
【０００６】
紙幣ユニットを筐体に搭載するために用いられる搭載治具には、紙幣ユニットを筐体に容易に搭載できることが求められる。
また、搭載治具を用いた紙幣ユニットの筐体への搭載、または、筐体からの紙幣ユニットの取り出し過程では、紙幣ユニットを搭載治具に載せた状態で移動させる場合がある。例えば、筐体から取り出した紙幣ユニットにキャスターを取り付けるような場合には、作業スペースを確保するため、紙幣ユニットを搭載治具に載せた状態で移動させる。
【０００７】
このため、搭載治具には、紙幣ユニットが転倒しないように、紙幣ユニットを安定した状態で移動できることが求められる。
このような点に鑑み、ユニットを搭載部に搭載する作業を容易にし、かつ、ユニットを安定した状態で移動させることが可能なユニット搭載治具を提供することを目的とする。
【課題を解決するための手段】
【０００８】
上記目的を達成するために以下のようなユニット搭載治具が提供される。
このユニット搭載治具は、開口または切り欠きが設けられた載置面を備える載置部材と、載置面の下方に収容され、回転ローラが取り付けられた跳ね上げ部と支点部と操作部とを有し、操作部が押し下げられることにより支点部を中心に載置部材と独立して回転し、回転により回転ローラが開口または切り欠きを介して載置面よりも上方に上昇して載置面に載置された物体の底面を押し上げる、跳ね上げ部材と、を有する。
【発明の効果】
【０００９】
開示のユニット搭載治具によれば、ユニットを搭載部に搭載する作業を容易にし、かつ、ユニットを安定した状態で移動させることが可能となる。
【図面の簡単な説明】
【００１０】
【図１】第１の実施の形態に係るユニット搭載治具の一例を示す側面図である。
【図２】第１の実施の形態に係るユニット搭載治具の一例を示す側面図である。
【図３】第１の実施の形態に係るユニット搭載治具の一例を示す上面図である。
【図４】第１の実施の形態に係るユニット搭載治具の一例を示す側面図である。
【図５】第１の実施の形態に係る紙幣ユニットの一例を示す図である。
【図６】第１の実施の形態に係る紙幣ユニットと筐体の一例を示した図である。
【図７】第１の実施の形態に係るユニット搭載治具を用いた紙幣ユニットの搭載方法の一例を示した工程図である。
【図８】第１の実施の形態に係るユニット搭載治具を用いた紙幣ユニットの搭載方法の一例を示した工程図である。
【図９】第１の実施の形態に係るユニット搭載治具を用いた紙幣ユニットの搭載方法の一例を示した工程図である。
【図１０】第１の実施の形態に係るユニット搭載治具を用いた紙幣ユニットの取り出し方法の一例を示した工程図である。
【図１１】第１の実施の形態に係るユニット搭載治具を用いた紙幣ユニットの取り出し方法の一例を示した工程図である。
【図１２】第１の実施の形態に係るユニット搭載治具を用いた紙幣ユニットの取り出し方法の一例を示した工程図である。
【図１３】第１の実施の形態に係るユニット搭載治具を用いた紙幣ユニットの取り出し方法の一例を示した工程図である。
【図１４】第２の実施の形態に係るユニット搭載治具の一例を示す上面図である。
【発明を実施するための形態】
【００１１】
以下、第１の実施の形態を図面を参照して説明する。
［第１の実施の形態］
図１、図２は、第１の実施の形態に係るユニット搭載治具の一例を示す側面図である。図３は、第１の実施の形態に係るユニット搭載治具の一例を示す上面図である。なお、図２（Ａ）は、図１のユニット搭載治具のうち載置部材のみを示した図であり、図２（Ｂ）は、図１のユニット搭載治具のうち跳ね上げ部材のみを示した図である。
【００１２】
図１に示すように、ユニット搭載治具１は、載置部材１０と、跳ね上げ部材２０とを有している。載置部材１０には、ユニットが載置される載置面１１が備えられている。跳ね上げ部材２０は、この載置面１１の下方に収容されている。
【００１３】
まず、載置部材１０について説明する。
図２（Ａ）に示すように、載置部材１０は、載置面１１と側面１２を含む載置部材本体部１３と、載置部材本体部１３の前方Ｆに設けられたキャスター１４と、載置部材本体部１３の後方Ｂに設けられたボルト１５とを有している。
【００１４】
キャスター１４は、載置部材本体部１３に対して、水平方向に回転自在に取り付けられている。キャスター１４が水平方向に回転することにより、ユニット搭載治具１を旋回させることが可能となる。ボルト１５は、回転することで、載置部材本体部１３に対して、垂直方向、即ち、矢印１５ａの方向に上昇、または、下降する。ボルト１５は、作業者により回される。
【００１５】
図３に示すように、載置面１１には、載置部材本体部１３を貫通する開口１６が設けられている。さらに、載置面１１には、滑り止め１７ａ，１７ｂが形成されている。滑り止め１７ａは、開口１６よりも前方Ｆに位置し、滑り止め１７ｂは、開口１６よりも後方Ｂに位置している。滑り止め１７ａ，１７ｂには、例えば、ゴム板が用いられている。滑り止めの機能を有していれば、素材はゴム板に限らない。また、載置されるユニットを傷つけないような素材であれば、さらに好ましい。滑り止め１７ａ，１７ｂが載置面１１に形成されていることにより、載置面１１に載置されたユニットが、滑って転倒することを抑制することが可能となる。
【００１６】
次に、跳ね上げ部材２０について説明する。
図２（Ｂ）に示すように、跳ね上げ部材２０は、跳ね上げ部材本体部２１と、操作部２２とを有している。操作部２２は、跳ね上げ部材本体部２１に固定され、跳ね上げ部材本体部２１の後方Ｂから突出するように設けられている。操作部２２は、作業者により押し下げられる。
【００１７】
跳ね上げ部材本体部２１は、先端に跳ね上げ部２３を有している。跳ね上げ部２３には、跳ね上げ部材本体部２１の幅方向に延在する軸２４が取り付けられている。この軸２４に、回転ローラ２５が回転自在に取り付けられている。
【００１８】
跳ね上げ部材本体部２１には、跳ね上げ部２３よりも後方Ｂに、跳ね上げ部材本体部２１の幅方向に延在する軸２６が取り付けられている。跳ね上げ部材本体部２１は、軸２６に対して回転自在に取り付けられている。さらに、軸２６には、移動用回転ローラ２７が回転自在に取り付けられている。移動用回転ローラ２７が回転することで、ユニット搭載治具１を移動させることが可能となる。
【００１９】
跳ね上げ部材本体部２１の後方Ｂには、跳ね上げ部材本体部２１の前後方向に延在するスリット２８が設けられている。操作部２２は、このスリット２８に沿って、矢印２２ａの方向にスライドする。操作部２２を、スライドさせることで、跳ね上げ部材本体部２１の後方Ｂから突出している操作部２２の長さを変えることが可能となる。
【００２０】
操作部２２をスライドさせて、跳ね上げ部材本体部２１の後方Ｂから突出している操作部２２の長さを短くすることで、ユニット搭載治具１の全長を短くすることが可能となり、ユニット搭載治具１を収納するスペースを縮小することが可能となる。
【００２１】
図３に示すように、載置部材１０の載置面１１の下方に収容された跳ね上げ部材２０の跳ね上げ部２３、回転ローラ２５、および、跳ね上げ部２３から連続する跳ね上げ部材本体部２１の一部は、載置部材１０の開口１６により露出している。
【００２２】
跳ね上げ部材２０の軸２６は、載置部材１０の側面１２に固定されている。また、回転ローラ２５の表面には、滑り止め１７ｃが形成されている。滑り止め１７ｃには、例えば、ゴム板が用いられている。
【００２３】
次に、操作部２２を押し下げた状態のユニット搭載治具１について説明する。
図４は、第１の実施の形態に係るユニット搭載治具の一例を示す側面図である。
跳ね上げ部材２０の操作部２２が、作業者により矢印２２ｂに示す方向に押し下げられると、跳ね上げ部材本体部２１が、軸２６を中心として、矢印２６ａの方向に載置部材１０と独立して回転する。この回転により、跳ね上げ部２３に取り付けられた回転ローラ２５が、開口１６を介して載置部材１０の載置面１１よりも上方に上昇する。
【００２４】
すなわち、回転ローラ２５の上昇には、回転ローラ２５を作用点、軸２６を支点、操作部２２を力点とする梃子の原理が用いられている。このようにして回転ローラ２５が上昇することにより、載置部材１０の載置面１１に載置されたユニットの底面を回転ローラ２５が押し上げ、ユニットが持ち上げられる。
【００２５】
また、ここでは、ボルト１５が作業者により回されて下降し、ボルト１５の先端が、跳ね上げ部材本体部２１に接触している。これにより、操作部２２を押し下げることを停止したとしても、回転した跳ね上げ部材本体部２１が、回転前の状態に戻ることを抑制することができる。すなわち、ボルト１５はストッパーとして機能する。また、ストッパー機能を有する部品や機構であれば、これに限らない。
【００２６】
次に、このユニット搭載治具１を用いて、紙幣ユニットをＡＴＭの筐体に搭載する方法の一例について説明する。
図５は、第１の実施の形態に係る紙幣ユニットの一例を示す図である。
【００２７】
紙幣ユニット３０は、上下２段の引き出し構造を有し、上段は紙幣搬送部３１であり、下段はカセット部３２である。さらに、紙幣ユニット３０には、手前側にキャスター３３と、突起３５とが取り付けられており、奥側にキャスター３４が取り付けられている。突起３５は、紙幣ユニット３０の転倒を防止するためのものである。
【００２８】
図６は、第１の実施の形態に係る紙幣ユニットと筐体の一例を示した図である。図６（Ａ）は、側面図であり、図６（Ｂ）は上面図である。
筐体４０は、紙幣ユニット３０を搭載する搭載部４１と、紙幣ユニット３０をスライドさせるための回転ローラ４２とを有している。また、紙幣ユニット３０は、奥側に回転ローラ３６を有している。紙幣ユニット３０を筐体４０に搭載するときは、紙幣ユニット３０は奥側から筐体４０に進入する。
【００２９】
図７〜図９は、第１の実施の形態に係るユニット搭載治具を用いた紙幣ユニットの搭載方法の一例を示した工程図である。
まず、図７（Ａ）に示すように、筐体４０の手前に配置された紙幣ユニット３０の下側に、ユニット搭載治具１を配置する。なお、この状態のときに、仮に、紙幣ユニット３０を押して筐体４０に搭載しようとすると、紙幣ユニット３０の底面が筐体４０の搭載部４１よりも低いため、紙幣ユニット３０が筐体４０の底部にぶつかってしまい、紙幣ユニット３０を筐体４０に搭載できない可能性がある。特に、床が平らではなく、筐体４０が設置されている床面よりも、紙幣ユニット３０が位置している床面の方が低い場合、この問題は顕著となる。
【００３０】
次に、図７（Ｂ）に示すように、ユニット搭載治具１の操作部２２を押し下げ、回転ローラ２５を上昇させる。操作部２２は、例えば、作業者が操作部２２を踏み込むことで押し下げられる。これにより、回転ローラ２５が上昇して紙幣ユニット３０の底面を押し上げ、紙幣ユニット３０が持ち上げられる。このとき、紙幣ユニット３０の底面は筐体４０の搭載部４１よりも高くなる。また、このとき、紙幣ユニット３０のキャスター３４は床から浮いた状態となる。なお、キャスター３３は床に接している。
【００３１】
次に、図８（Ａ）に示すように、ユニット搭載治具１の操作部２２を押し下げて紙幣ユニット３０を持ち上げた状態で、紙幣ユニット３０を横方向に押して、紙幣ユニット３０の先端を筐体４０の搭載部４１に載せる。このとき、紙幣ユニット３０の底面を押し上げているユニット搭載治具１の回転ローラ２５が回転するので、紙幣ユニット３０の移動は滑らかに行われる。
【００３２】
次に、図８（Ｂ）に示すように、ユニット搭載治具１の操作部２２を押し下げて紙幣ユニット３０を持ち上げた状態で、紙幣ユニット３０からキャスター３４を取り外す。このとき、キャスター３４は床から浮いているため、作業者は、紙幣ユニット３０からキャスター３４を容易に取り外すことが可能となる。
【００３３】
次に、図９（Ａ）に示すように、紙幣ユニット３０を横方向に押し続け、紙幣ユニット３０を筐体４０に収納していく。このとき、紙幣ユニット３０は、紙幣ユニット３０の回転ローラ３６と、筐体４０の回転ローラ４２と、ユニット搭載治具１の回転ローラ２５と、キャスター３３とが回転することにより、筐体４０内を滑らかにスライドする。
【００３４】
次に、図９（Ｂ）に示すように、紙幣ユニット３０からキャスター３３を取り外し、その後、紙幣ユニット３０を、再度、横方向に押して、紙幣ユニット３０を筐体４０の搭載部４１に搭載する。
【００３５】
このようにして、紙幣ユニット３０は、筐体４０の搭載部４１に搭載される。
次に、このユニット搭載治具１を用いて、紙幣ユニット３０をＡＴＭの筐体４０から取り出す方法の一例について説明する。
【００３６】
図１０〜図１３は、第１の実施の形態に係るユニット搭載治具を用いた紙幣ユニットの取り出し方法の一例を示した工程図である。なお、図１１（Ｂ）は上面図を示す。
まず、紙幣ユニット３０を筐体４０から僅かに手前に引き出し、紙幣ユニット３０にキャスター３３を取り付ける。この後、図１０（Ａ）に示すように、筐体４０の手前に、ユニット搭載治具１を配置し、ユニット搭載治具１の操作部２２を押し下げて回転ローラ２５を上昇させた状態で、紙幣ユニット３０を筐体４０から引き出す。
【００３７】
このとき、紙幣ユニット３０の底面は、ユニット搭載治具１の回転ローラ２５に押し上げられるため、紙幣ユニット３０は、持ち上げられた状態で筐体４０から引き出される。また、紙幣ユニット３０は、紙幣ユニット３０の回転ローラ３６と、筐体４０の回転ローラ４２と、ユニット搭載治具１の回転ローラ２５と、キャスター３３とが回転することにより、筐体４０内を滑らかにスライドする。
【００３８】
図１０（Ｂ）は、紙幣ユニット３０が、筐体４０から取り出されてユニット搭載治具１に載置されている状態を示す。ユニット搭載治具１の操作部２２が押し下げられて紙幣ユニット３０が持ち上げられている。
【００３９】
次に、図１１（Ａ）に示すように、ユニット搭載治具１の操作部２２を押し下げることを止めて、回転ローラ２５を下降させ、紙幣ユニット３０を下降させる。このとき、紙幣ユニット３０の底面は、ユニット搭載治具１の載置面１１に接触している。すなわち、紙幣ユニット３０は、キャスター３３と、ユニット搭載治具１の載置面１１とにより支持されている。
【００４０】
次に、図１１（Ｂ）に示すように、紙幣ユニット３０にキャスター３４を取り付けるための作業スペースを確保するため、ユニット搭載治具１を旋回用のキャスター１４により旋回させ、紙幣ユニット３０の位置を移動させる。また、図１２（Ａ）に示すように、紙幣ユニット３０を横方向に押して、キャスター３３、およびユニット搭載治具１の移動用回転ローラ２７を回転させて、他の場所へ移動させてもよい。
【００４１】
このとき、紙幣ユニット３０の底面は、ユニット搭載治具１の載置面１１により支持されているため、紙幣ユニット３０を安定した状態で移動することが可能となる。また、このとき、紙幣ユニット３０の底面には、回転ローラ２５が接触していないため、回転ローラ２５が回転して紙幣ユニット３０がスライドしてしまう可能性を低減することが可能となる。これにより、紙幣ユニット３０の移動中に、紙幣ユニット３０が転倒してしまう可能性を低減することが可能となる。
【００４２】
次に、図１２（Ｂ）に示すように、ユニット搭載治具１の操作部２２を押し下げて回転ローラ２５を上昇させ、紙幣ユニット３０を持ち上げる。また、ここで、ボルト１５を回転させて下降させ、操作部２２を押し下げた状態でボルト１５により固定する。
【００４３】
次に、図１３（Ａ）に示すように、紙幣ユニット３０を持ち上げた状態で、紙幣ユニット３０にキャスター３４を取り付ける。
次に、図１３（Ｂ）に示すように、ユニット搭載治具１のボルト１５を回転させて上昇させ、操作部２２を元の位置に戻し、紙幣ユニット３０を下降させる。この結果、紙幣ユニット３０は、キャスター３３とキャスター３４とにより支持される。
【００４４】
このようにして、紙幣ユニット３０は、筐体４０から取り出される。
以上のように、ユニット搭載治具１は、開口１６が設けられた載置面１１を備える載置部材１０と、載置面１１の下方に収容され、回転ローラ２５が取り付けられた跳ね上げ部２３と軸２６と操作部２２とを有し、操作部２２が押し下げられることにより軸２６を中心に載置部材１０と独立して回転し、回転により回転ローラ２５が開口１６を介して載置面１１よりも上方に上昇する、跳ね上げ部材２０とを有する。
【００４５】
これにより、操作部２２を押し下げることにより、載置面１１に配置されたユニットを、跳ね上げ部２３により容易に持ち上げることが可能となる。
また、跳ね上げ部２３に回転ローラ２５が取り付けられていることにより、持ち上げたユニットを容易にスライドさせて、搭載部に搭載することが可能となる。
【００４６】
また、操作部２２を元に戻すことで、ユニットを載置面１１により支持することが可能となり、ユニットを安定した状態で移動させることが可能となる。
このように、ユニット搭載治具１は、ユニットを搭載部に搭載する作業を容易にし、かつ、ユニットを安定した状態で移動させることが可能となる。
【００４７】
さらに、ユニット搭載治具１では、載置面１１に滑り止め１７ａ，１７ｂが形成されている。これにより、ユニットが滑ることを抑制でき、ユニットをより安定した状態で移動させることが可能となる。
【００４８】
さらに、ユニット搭載治具１では、回転ローラ２５の表面に、滑り止め１７ｃが形成されている。これにより、回転ローラ２５により底面が押し上げられたユニットが、横滑りすることを抑制することが可能となる。
【００４９】
さらに、ユニット搭載治具１では、載置部材１０に、操作部２２を押し下げた状態で固定するストッパーが設けられている。これにより、作業者が操作しなくても、ユニットを持ち上げた状態で維持することが可能となる。
【００５０】
さらに、ユニット搭載治具１では、跳ね上げ部材２０が、操作部２２をスライドさせるスライド機構を備えている。これにより、ユニット搭載治具１の全長を短くすることが可能となり、ユニット搭載治具１を収納するためのスペースを縮小することが可能となる。
【００５１】
［第２の実施の形態］
図１４は、第２の実施の形態に係るユニット搭載治具の一例を示す上面図である。
ユニット搭載治具２では、ユニット搭載治具１の構成に対して、載置部材１０の載置面１１に、開口１６に替えて、切り欠き１８が設けられている。切り欠き１８は、載置部材１０の先端から後方Ｂに向けて設けられている。その他の構成は、ユニット搭載治具１と同様である。
【００５２】
すなわち、載置部材１０の載置面１１の下方Ｂに収容された跳ね上げ部材２０の跳ね上げ部２３、回転ローラ２５、および、跳ね上げ部２３から連続する跳ね上げ部材本体部２１の一部は、載置部材１０の切り欠き１８により露出している。また、跳ね上げ部材本体部２１の回転により、跳ね上げ部２３に取り付けられた回転ローラ２５が、切り欠き１８を介して載置部材１０の載置面１１よりも上方に上昇する。
【００５３】
ユニット搭載治具２についても、ユニット搭載治具１と同様に、ユニットを搭載部に搭載する作業を容易にし、かつ、ユニットを安定した状態で移動させることが可能となる。
【符号の説明】
【００５４】
１，２  ユニット搭載治具
１０  載置部材
１１  載置面
１２  側面
１３  載置部材本体部
１４，３３，３４  キャスター
１５  ボルト
１６  開口
１７ａ，１７ｂ，１７ｃ  滑り止め
１８  切り欠き
２０  跳ね上げ部材
２１  跳ね上げ部材本体部
２２  操作部
２３  跳ね上げ部
２４，２６  軸
２５，３６，４２  回転ローラ
２７  移動用回転ローラ
２８  スリット
３０  紙幣ユニット
３１  紙幣搬送部
３２  カセット部
３５  突起
４０  筐体
４１  搭載部
【図１】
0005432819.tif 000002
【図２】
0005432819.tif 000003
【図３】
0005432819.tif 000004
【図４】
0005432819.tif 000005
【図５】
0005432819.tif 000006
【図６】
0005432819.tif 000007
【図７】
0005432819.tif 000008
【図８】
0005432819.tif 000009
【図９】
0005432819.tif 000010
【図１０】
0005432819.tif 000011
【図１１】
0005432819.tif 000012
【図１２】
0005432819.tif 000013
【図１３】
0005432819.tif 000014
【図１４】
0005432819.tif 000015